(57)【要約】【課題】本発明の目的とするところは、ユーザイメージを用いて身体管理情報を提供するディスプレイ装置および身体管理方法を提供することにある。【解決手段】本発明に係るディスプレイ装置は、ユーザイメージを撮影する撮影部と、撮影されたユーザイメージをディスプレイするディスプレイ部と、ディスプレイされるユーザイメージに対するユーザ命令を受信するユーザインターフェース部と、ユーザ命令に従って、ディスプレイされるユーザイメージの少なくとも一部を変更して表示し、変更されて表示されたユーザイメージに対応する身体管理情報を設定するように制御する制御部とを含む。それにより、ユーザはディスプレイ装置を通じてディスプレイされたサイズが変更されたユーザイメージを直接見ながら運動およびダイエットに対する目標を設定することができる。【選択図】図１
2013163024.tif 000002
【特許請求の範囲】
【請求項１】
ユーザイメージを撮影する撮影部と、
前記撮影されたユーザイメージをディスプレイするディスプレイ部と、
前記ディスプレイされるユーザイメージに対するユーザ命令を受信するユーザインターフェース部と、
前記ユーザ命令に従って、前記ディスプレイされるユーザイメージの少なくとも一部を変更して表示し、前記変更されて表示されたユーザイメージに対応する身体管理情報を設定するように制御する制御部と
を含むディスプレイ装置。
【請求項２】
前記制御部は、
ユーザ命令に従って、前記身体部位の変更されたユーザイメージおよび前記撮影されたユーザイメージのうち、少なくともいずれか一方をディスプレイすることを特徴とする請求項１に記載のディスプレイ装置。
【請求項３】
保存部を更に含み、
前記制御部は、
前記ユーザ命令に従って、前記変更された身体部位に対する運動目標値をリアルタイムで算出してディスプレイし、ユーザから選択された運動目標値を前記保存部に保存することを特徴とする請求項１に記載のディスプレイ装置。
【請求項４】
前記運動目標値は、
前記変更された身体部位の変更度合いに対応するカロリー消費量であることを特徴とする請求項３に記載のディスプレイ装置。
【請求項５】
前記制御部は、
前記保存部に保存された身体部位別の運動目標値に応じて前記身体部位別の身体管理情報を設定してディスプレイし、前記設定された身体管理情報を前記保存部に保存することを特徴とする請求項３に記載のディスプレイ装置。
【請求項６】
前記身体管理情報は、
前記身体部位別の運動コース情報、運動時間情報、運動時間に対応するカロリー消費情報のうち、少なくともいずれか一つを含む身体管理プログラムであることを特徴とする請求項５に記載のディスプレイ装置。
【請求項７】
前記保存部は、運動スケジュールテーブルが保存され、
前記制御部は、
予め設定されたイベントに応じて、身体部位別の身体管理プログラムを前記運動スケジュールテーブルに登録して保存することを特徴とする請求項６に記載のディスプレイ装置。
【請求項８】
前記保存部は、前記撮影部で撮影されたユーザイメージを更に保存し、
前記制御部は、
前記保存部に保存されたユーザイメージと前記撮影部で現在撮影されたユーザイメージとを比較し、身体部位別のカロリー消費度合いを測定し、前記測定されたカロリー消費度合いに基づいて、身体部位別の運動状態情報をディスプレイすることを特徴とする請求項５に記載のディスプレイ装置。
【請求項９】
前記制御部は、
前記測定されたカロリー消費度合いに基づいて、前記保存部に予め保存された身体管理プログラム情報を更新することを特徴とする請求項８に記載のディスプレイ装置。
【請求項１０】
前記ユーザ命令は、ユーザモーションおよび遠隔制御装置から受信された制御信号のうち、少なくともいずれか一つであることを特徴とする請求項１に記載のディスプレイ装置。
【請求項１１】
ディスプレイ装置においてユーザの身体を管理する身体管理方法において、
ユーザイメージを撮影するステップと、
前記撮影されたユーザイメージをディスプレイするステップと、
前記ディスプレイされるユーザイメージに対するユーザ命令が受信されると、前記ディスプレイされるユーザイメージの少なくとも一部を変更してディスプレイするステップと、
前記変更されて表示されたユーザイメージに対応する身体管理情報を設定するステップと、
前記設定された身体管理情報をディスプレイするステップと
を含む身体管理方法。
【請求項１２】
前記身体管理情報をディスプレイするステップは、
ユーザ命令に従って、前記身体部位の変更されたユーザイメージおよび前記撮影されたユーザイメージのうち、少なくともいずれか一方をディスプレイすることを特徴とする請求項１１に記載の身体管理方法。
【請求項１３】
前記身体管理情報を設定するステップは、
前記ユーザ命令に従って、前記変更された身体部位に対する運動目標値をリアルタイムで算出してディスプレイするステップと、
ユーザから選択された運動目標値を前記保存部に保存するステップと
を含むことを特徴とする請求項１１に記載の身体管理方法。
【請求項１４】
前記運動目標値は、
前記変更された身体部位の変更度合いに対応するカロリー消費量であることを特徴とする請求項１３に記載の身体管理方法。
【請求項１５】
前記身体管理情報を設定するステップは、
前記保存部に保存された身体部位別の運動目標値に応じて前記身体部位別の身体管理情報を設定するステップと、
前記設定された身体管理情報を前記保存部に保存するステップと
を更に含むことを特徴とする請求項１３に記載の身体管理方法。
【発明の詳細な説明】
【技術分野】
【０００１】
本発明は、ディスプレイ装置および身体管理方法に関し、より詳細には、ユーザイメージを用いて身体管理情報を提供するディスプレイ装置および身体管理方法に関する。
【背景技術】
【０００２】
現代社会が次第に西洋化および産業化するにつれ、肥満で苦しむ人々が増えている。よって、食餌療法や運動器具等の多様なダイエット方法が広く知られている。このように、多様なダイエット方法が広く知られているにもかかわらず、人々は自分が望む体重だけ減量することができず、ダイエットに失敗してしまうことが度々生じる。
【０００３】
このように、体重減量に失敗する最も大きな原因は、体重減量に対する意志が長続きしないためである。すなわち、ユーザがダイエットを地道に続けるためには、ダイエットに対するモチベーションを高めていかなければならない。なお、一般のダイエット方法の場合、単に体重の変化だけをリアルタイムで確認することができるだけで、身体部位別の減量度合いを確認することが困難という問題があった。
【０００４】
すなわち、ユーザは自分が運動した度合いに応じて、身体部位別の変化程度をリアルタイムで確認することが難しいため、ダイエットに対する意志が長続きせず、ダイエットに対する興味および満足感を感じることができないため、体重減量に対する意志が長続きしないという問題がある。
【先行技術文献】
【特許文献】
【０００５】
【特許文献１】米国登録特許第７、３２８、１１９号
【特許文献２】韓国特開第２０１０−００１２４０２号公報
【特許文献３】日本特開第２００５−２３００６８号公報
【特許文献４】韓国特開第２００８−００２８５７７号公報
【発明の概要】
【発明が解決しようとする課題】
【０００６】
そこで、本発明は、上記問題に鑑みてなされたものであり、本発明の目的とするところは、ユーザの身体管理をより効率よくすることにある。
【課題を解決するための手段】
【０００７】
以上のような目的を達成するための本発明の一実施形態に係るディスプレイ装置は、ユーザイメージを撮影する撮影部と、前記撮影されたユーザイメージをディスプレイするディスプレイ部と、前記ディスプレイされるユーザイメージに対するユーザ命令を受信するユーザインターフェース部と、前記ユーザ命令に従って、前記ディスプレイされるユーザイメージの少なくとも一部を変更して表示し、前記変更されて表示されたユーザイメージに対応する身体管理情報を設定するように制御する制御部とを含む。
そして、前記制御部は、ユーザ命令に従って、前記身体部位の変更されたユーザイメージおよび前記撮影されたユーザイメージのうち、少なくともいずれか一方をディスプレイしてよい。
【０００８】
なお、保存部を更に含み、前記制御部は、前記ユーザ命令に従って、前記変更された身体部位に対する運動目標値をリアルタイムで算出してディスプレイし、ユーザから選択された運動目標値を前記保存部に保存してよい。
そして、前記運動目標値は、前記変更された身体部位の変更度合いに対応するカロリー消費量であってよい。
なお、前記制御部は、前記保存部に保存された身体部位別の運動目標値に応じて前記身体部位別の身体管理情報を設定してディスプレイし、前記設定された身体管理情報を前記保存部に保存してよい。
そして、前記身体管理情報は、前記身体部位別の運動コース情報、運動時間情報、運動時間に対応するカロリー消費情報のうち、少なくともいずれか一つを含む身体管理プログラムであってよい。
【０００９】
なお、前記保存部は、運動スケジュールテーブルが保存され、前記制御部は、予め設定されたイベントに応じて、身体部位別の身体管理プログラムを前記運動スケジュールテーブルに登録して保存してよい。
そして、前記保存部は、前記撮影部で撮影されたユーザイメージを更に保存し、前記制御部は、前記保存部に保存されたユーザイメージと前記撮影部で現在撮影されたユーザイメージとを比較し、身体部位別のカロリー消費度合いを測定し、前記測定されたカロリー消費度合いに基づいて、身体部位別の運動状態情報をディスプレイしてよい。
【００１０】
なお、前記制御部は、前記測定されたカロリー消費度合いに基づいて、前記保存部に予め保存された身体管理プログラム情報を更新してよい。
そして、前記ユーザ命令は、ユーザモーションおよび遠隔制御装置から受信された制御信号のうち、少なくともいずれか一つであってよい。
【００１１】
一方、本発明の一実施形態に係るディスプレイ装置においてユーザの身体を管理する身体管理方法は、ユーザイメージを撮影するステップと、前記撮影されたユーザイメージをディスプレイするステップと、前記ディスプレイされるユーザイメージに対するユーザ命令が受信されると、前記ディスプレイされるユーザイメージの少なくとも一部を変更してディスプレイするステップと、前記変更されて表示されたユーザイメージに対応する身体管理情報を設定するステップと、前記設定された身体管理情報をディスプレイするステップとを含む。
そして、前記身体管理情報をディスプレイするステップは、ユーザ命令に従って、前記身体部位の変更されたユーザイメージおよび前記撮影されたユーザイメージのうち、少なくともいずれか一方をディスプレイしてよい。
【００１２】
なお、前記身体管理情報を設定するステップは、前記ユーザ命令に従って、前記変更された身体部位に対する運動目標値をリアルタイムで算出してディスプレイするステップと、ユーザから選択された運動目標値を前記保存部に保存するステップとを含んでよい。
そして、前記運動目標値は、前記変更された身体部位の変更度合いに対応するカロリー消費量であってよい。
【００１３】
なお、前記身体管理情報を設定するステップは、前記保存部に保存された身体部位別の運動目標値に応じて前記身体部位別の身体管理情報を設定するステップと、前記設定された身体管理情報を前記保存部に保存するステップとを更に含んでよい。
そして、前記身体管理情報は、前記身体部位別の運動コース情報、運動時間情報、運動時間に対応するカロリー消費情報のうち、少なくともいずれか一つを含む身体管理プログラムであってよい。
【００１４】
なお、予め設定されたイベントに応じて、身体部位別の身体管理プログラムを前記保存部に保存された運動スケジュールテーブルに登録して保存するステップを更に含んでよい。
そして、前記保存部に保存されたユーザイメージと現在撮影されたユーザイメージとを比較し、身体部位別のカロリー消費度合いを測定し、前記測定されたカロリー消費度合いに基づいて、身体部位別の運動状態情報をディスプレイステップを更に含んでよい。
【００１５】
なお、前記運動状態情報をディスプレイするステップは、前記測定されたカロリー消費度合いに基づいて、前記保存部に予め保存された身体管理プログラム情報を更新してよい。
そして、前記ユーザ命令は、ユーザモーションおよび遠隔制御装置から受信された制御信号のうち、少なくともいずれか一つであってよい。
【発明の効果】
【００１６】
以上説明したように、本発明によれば、ディスプレイ装置はユーザの要求に応じて、身体部位別のユーザイメージのサイズを変更してディスプレイする。よって、ユーザはサイズが変更されたユーザイメージを直接見ながら、運動およびダイエットに対する目標を設定することにより、身体管理に対するモチベーションとなり、身体部位別の管理が長続きすることができる。
【図面の簡単な説明】
【００１７】
【図１】本発明の一実施形態に係るディスプレイ装置のブロック図である。
【図２】本発明の一実施形態に係るディスプレイ装置においてユーザイメージを用いて身体管理情報を提供する例示図である。
【図３】本発明の一実施形態に係るディスプレイ装置においてユーザイメージをディスプレイする例示図である。
【図４】本発明の一実施形態に係るディスプレイ装置において身体管理プログラムを提供する例示図である。
【図５】本発明の一実施形態に係る運動スケジュールテーブルに身体管理プログラムが登録保存される例示図である。
【図６】本発明の一実施形態に係るディスプレイ装置においてユーザイメージを用いて身体を管理する方法を示すフローチャートである。
【図７】本発明の一実施形態に係るディスプレイ装置において変更された身体部位に対応して身体管理情報を設定する方法を示すフローチャートである。
【発明を実施するための形態】
【００１８】
以下に添付図面を参照しながら、本発明の好適な実施形態について詳細に説明する。
図１は、本発明の一実施形態に係るディスプレイ装置のブロック図である。
図１に示すように、ディスプレイ装置は、撮影部１１０と、ユーザインターフェース部１２０と、制御部１３０およびディスプレイ部１４０を含む。撮影部１１０は、ユーザイメージを撮影し、ユーザインターフェース部１２０はディスプレイ部１４０を介してディスプレイされるユーザイメージに対するユーザ命令を受信する。そして、ディスプレイ部１４０は、撮影部１１０で撮影されたユーザイメージを画面上にディスプレイし、制御部１３０はユーザインターフェース部１２０を介してユーザ命令が受信されると、その受信されたユーザ命令に従って、ディスプレイ部１４０を介して画面上にディスプレイされるユーザイメージの少なくとも一部を変更して表示し、変更されて表示されたユーザイメージに対応する身体管理情報を設定するように制御する。
【００１９】
具体的に、撮影部１１０は、物を撮影できるカメラであってよい。よって、撮影部１１０は、ユーザインターフェース部１２０を介してユーザ操作命令が入力されると、その入力されたユーザ操作命令に対応するユーザの身体をフォーカシングして撮影する。このように、撮影部１１０を介してユーザの身体が撮影されると、ディスプレイ部１４０は制御部１３０の制御命令に従って、撮影されたユーザの身体に対するユーザイメージを画面上にディスプレイする。ユーザイメージが画面上にディスプレイされた状態で、ユーザインターフェース部１２０はユーザから管理しようとする身体部位に対するサイズ変更命令を受信することができる。
【００２０】
このようなユーザインターフェース部１２０は、ユーザイメージを撮影する撮影部１１０を介して検知されたユーザモーションから身体部位別のサイズ変更に対するユーザ命令を受信したり、或いは、ユーザインターフェース部１２０と同期化した遠隔制御装置から受信された制御信号から身体部位別のサイズ変更に対するユーザ命令を受信することができる。ユーザインターフェース部１２０を介して身体部位別のサイズ変更に対するユーザ命令が受信されると、制御部１３０は画面上にディスプレイされているユーザイメージの身体部位のうち、受信されたユーザ命令に対応する身体部位のサイズを変更してディスプレイする。身体部位別のサイズ変更に対するユーザ命令に従って、画面上にディスプレイされるユーザイメージの身体部位を変更する制御部１３０に対して、図２を参照してより詳細に説明する。
【００２１】
図２は、本発明の一実施形態に係るディスプレイ装置においてユーザイメージを用いて身体管理情報を提供する例示図である。
図２に示すように、ディスプレイ部１４０は撮影部１１０を介して撮影されたユーザの身体に対するユーザイメージ２１０をディスプレイすることができる。実施形態によって、ユーザイメージ２１０が画面上にディスプレイされている状態で、ユーザは自分の指２２０を用いて現在の画面にディスプレイされているユーザイメージ２１０の身体部位のうち、上体部位に対するサイズを変更することができる。具体的に、ユーザは、現在の画面にディスプレイされた上体部位に対応する地点２３０から内側に自分の指を動かすことができる。よって、撮影部１１０は、ユーザの指の動きからユーザモーションを検知し、ユーザインターフェース部１２０は撮影部１１０を介して検知されたユーザモーションから身体部位別のサイズ変更に対するユーザ命令を受信することができる。
【００２２】
このようなユーザ命令に従って、制御部１３０は、上体部位のサイズをユーザの指２２０が内側に移動した分だけ変更する。よって、ディスプレイ部１４０は、点線から実線で表示された程度の分だけサイズが変更された上体部位を含むユーザイメージ２１０を画面上にディスプレイすることができる。一方、ディスプレイ部１４０は、図３に示すように、身体部位の変更されたユーザイメージおよび身体部位の変更されていない最初のユーザイメージのうち、少なくともいずれか一方をディスプレイすることができる。
【００２３】
図３は、本発明の一実施形態に係るディスプレイ装置においてユーザイメージをディスプレイする例示図である。
図３に示すように、制御部１３０は、ユーザ命令に従って、身体部位の変更されたユーザイメージと、撮影部１１０を介して撮影されたユーザイメージとのうち、少なくともいずれか一方がディスプレイされるように制御してよい。具体的に、ユーザインターフェース部１２０を介してユーザイメージ比較関連のユーザ命令が入力されると、制御部１３０は身体部位の変更されたユーザイメージと撮影部１１０を介して撮影されたユーザイメージとが一つの画面上にディスプレイされるように、両ユーザイメージのサイズを変更する。
【００２４】
両ユーザイメージのサイズが変更されると、ディスプレイ部１３０は撮影部１１０を介して撮影されたユーザイメージ３１０と身体部位のサイズが変更されたユーザイメージ３２０とを画面上にディスプレイする。よって、ユーザは画面上にディスプレイされた両ユーザイメージ３１０、３２０を確認して変更されたユーザイメージ３２０に対する更なる変更の有無を決定することができる。
【００２５】
一方、身体部位別のサイズ変更に対するユーザ命令に従ってユーザイメージの身体部位を変更する制御部１３０は、変更された身体部位に対応する身体管理情報を設定してディスプレイするように、ディスプレイ部１４０を制御することができる。ここで、身体管理情報は、変更された身体部位に対する運動目標値を含むことが望ましく、運動目標値は変更された身体部位の変更度合いに対応するカロリー消費量であってよい。
【００２６】
具体的に、制御部１３０は、身体部位別のサイズ変更に対するユーザ命令に従って、画面上にディスプレイされるユーザイメージの身体部位を変更すると同時に、変更された身体部位に対応する運動目標値をリアルタイムで算出する。制御部１３０からリアルタイムで運動目標値が算出されると、ディスプレイ部１４０は算出された運動目標値を画面上にディスプレイする。実施形態によって、ユーザは、図２のように、自分の指２２０を用いて現在の画面にディスプレイされた上体部位に対応する地点２３０から内側に自分の指を動かすことができる。よって、撮影部１１０は、ユーザの指の動きからユーザモーションを検知し、ユーザインターフェース部１２０は撮影部１１０を介して検知されたユーザモーションから身体部位別のサイズ変更に対するユーザ命令を受信することができる。
【００２７】
このようなユーザ命令に従って、制御部１３０は上体部位のサイズをユーザの指２２０が内側に移動した分だけ変更する。このとき、制御部１３０は、上体部位のサイズが変更された度合いに対応する運動目標値をリアルタイムで算出する。例えば、上体部位のサイズが変更された度合いに対応する運動目標値が５００Ｋｃａｌである場合、ディスプレイ部１４０は“Ｇｏａｌ  Ｃａｌｏｒｉｅ  ５００Ｋｃａｌ”という運動目標値２４０を画面上にディスプレイする。一方、上体部位のサイズ変更に対する更に別のユーザ命令がユーザインターフェース部１２０を介して入力されると、更に別のユーザ命令に対応するサイズに上体部位のサイズを再変更し、その変更された上体部位のサイズと対応する運動目標値を再設定することができる。よって、ディスプレイ部１４０は、制御部１３０から再変更された上位部位を含むユーザイメージと再設定された運動目標値を画面上にディスプレイすることができる。
【００２８】
一方、ディスプレイ部１４０は、図２に示すように、画面の一側面に運動目標値に対して選択するか否かを入力されるためのアイコン２５０、２６０をディスプレイすることができる。実施形態によって、“Ｇｏａｌ  Ｃａｌｏｒｉｅ  ５００Ｋｃａｌ”という運動目標値２４０がディスプレイされた状態で、ユーザインターフェース部１２０を介して“Ｃａｎｃｅｌ”というアイコン２６０に対する選択命令が入力されると、制御部１３０が現在変更されてディスプレイされたユーザイメージを最初のユーザイメージに変更する。よって、ディスプレイ部１４０は、現在ディスプレイされたユーザイメージから最初に撮影されたユーザイメージにユーザイメージを変更して画面上にディスプレイすることができる。
【００２９】
一方、ユーザインターフェース部１２０を介して“Ｄｏｎｅ”というアイコン２６０に対する選択命令が入力されると、制御部１３０は画面上にディスプレイされる変更されたユーザイメージと変更されたユーザイメージとに対応してディスプレイされた運動目標値を保存部１５０に保存する。よって、保存部１５０は、ユーザから選択された運動目標値とその運動目標値に対応するユーザイメージを保存することができる。
【００３０】
一方、制御部１３０は、保存部１５０に保存された身体部位別の運動目標値に応じて、身体部位別の身体管理情報を設定し、その設定された身体管理情報が保存部１５０に保存されるように制御してよい。ここで、身体管理情報は上述のように、運動目標値を含み、更に身体部位別の運動コース情報、運動時間情報、運動時間に対応するカロリー消費情報のうち、少なくともいずれか一つを含む身体管理プログラムを含んでよい。よって、制御部１３０は、保存部１５０に保存された身体部位別の運動目標値に応じて、身体部位別の身体管理プログラムを設定して保存部１５０に保存し、その保存された身体管理プログラムがディスプレイされるようにディスプレイ部１４０を制御する。よって、ディスプレイ部１４０は、身体部位別の運動目標値に応じて設定された身体管理プログラムを画面上にディスプレイしてよい。
【００３１】
図４は、本発明の一実施形態に係るディスプレイ装置において身体管理プログラムを提供する例示図である。
図４に示すように、保存部１５０にはユーザによって変更された身体部位別の運動目標値が保存されてよい。例えば、保存部１５０には、二の腕、ウエスト、太もも部位に対する運動目標値が保存されてよい。この場合、制御部１３０は、二の腕、ウエスト、太もも部位に対する運動目標値を用いて身体管理プログラムを設定する。ここで、身体管理プログラム３３０は、運動種目３３１や運動時間３３２および運動時間に対応するカロリー消費情報３３３が含まれてよい。
【００３２】
上述のように、保存部１５０には、二の腕、ウエスト、太もも部位に対する運動目標値が保存されることにより、制御部１３０は、身体管理プログラム３３０に含まれる運動種目３３１を二の腕運動、ウエスト運動、太もも運動種目を設定することができる。なお、制御部１３０は、設定された二の腕運動、ウエスト運動、太もも運動の各々に対応する運動時間３２２をそれぞれ１５ｍｉｎ、３０ｍｉｎ、１５ｍｉｎに設定することができ、設定された各々の運動時間３３２に対応するカロリー消費情報３３３を１５０Ｃａｌ、２５０Ｃａｌ、１５０Ｃａｌに設定することができる。このように、制御部１３０を介して保存部１５０に保存された身体部位別の運動目標値に応じて身体管理プログラム３３０が設定されると、ディスプレイ部１４０は設定された身体管理プログラム３３０を画面上にディスプレイする。
【００３３】
このとき、ディスプレイ部１４０は、制御部１３０の制御命令に従って、身体管理プログラム３３０とともに一側面に身体部位別にサイズが変更されたユーザイメージ３１０をディスプレイする。図示のように、二の腕、ウエスト、太もも関連の身体管理ぷ利グラム３３０がディスプレイされることにより、ディスプレイ部１４０は、二の腕、ウエスト、太もも部位に対するサイズが変更されたユーザイメージ３１０を身体管理プログラム３３０とともに表示する。このとき、ディスプレイ部１４０は画面上にディスプレイされるユーザイメージ３１０の身体部位のうち、サイズが変更された二の腕、ウエスト、太もも部位に識別アイコン３１１、３１２、３１３を各々表示することにより、ユーザは変更された身体部位をより容易に確認することができる。
【００３４】
更に、ディスプレイ部１４０は、画面上にディスプレイされるユーザイメージ３１０ほ上段に保存部１５０に保存された二の腕、ウエスト、太もも部位に対する運動目標値を用いて“Ｔｏｔａｌ  Ｇｏａｌ  Ｃａｌｏｒｉｅ  ８６５Ｋｃａｌ”という全運動目標値３２０を表示することができる。
【００３５】
一方、本発明の更なる態様によって、保存部１５０は運動スケジュールテーブルが保存され、制御部１３０は予め設定されたイベントに応じて、身体部位別の身体管理プログラムを保存部１５０に保存された運動スケジュールテーブルに登録して保存することができる。
【００３６】
図５は、本発明の一実施形態に係る運動スケジュールテーブルに身体管理プログラムが登録保存される例示図である。
図５に示すように、ディスプレイ部１４０は身体部位別の身体管理プログラムが登録された運動スケジュールテーブル４１０を画面上にディスプレイすることができる。具体的に、制御部１３０は、予め設定されたイベントに応じて身体部位別の身体管理プログラムを運動スケジュールテーブル４１０に登録することができる。ここで、予め設定されたイベントは、ユーザから設定された制御命令或いは自主的に設定されたアルゴリズムによるイベントであってよい。図４において説明したように、二の腕、ウエスト、太ももに対する身体管理プログラムが設定されると、制御部１３０は、予め設定されたイベントに応じて、二の腕、ウエスト、太ももに対する身体管理プログラムを運動スケジュールテーブル４１０に登録してよい。すなわち、制御部１３０は、予め設定されたイベントに応じて、二の腕、ウエスト、太ももに対する身体管理プログラムを運動スケジュールテーブル４１０の１月のスケジュール表４２０に登録してよい。
【００３７】
例えば、二の腕に対する身体管理プログラムは１月のスケジュール表４２０上に表示される１〜３１日のうち、１、５、９、１３、１７、２１、２５、２９日に登録されてよく、ウエストに対する身体管理プログラムは２、６、１０、１４、１８、２２、２６、３０日に登録されてよい。なお、太ももに対する身体管理プログラムは３、６、１１、１５、１９、２３、２７、３１日に登録されてよい。よって、ディスプレイ部  １４０は、運動スケジュールテーブルを通じて日付別に登録された身体管理プログラムを提供することができる。例えば、今日が１月５日であるとすると、ディスプレイ部１４０は運動スケジュールテーブル４１０の１月のスケジュール表４２０上に表示された日付のうち、５日４２１にハイライトを表示し、一側面に５日に登録された二の腕に対する身体管理プログラム４３０を表示する。このように、ディスプレイ部１４０は、一側面を通じて当該日付に対応する身体部位に対する運動種目や運動時間および運動時間に対応するカロリー消費情報と献立情報のような付加情報を含む身体管理プログラムを表示する。よって、ユーザは画面上に表示された身体管理プログラムに応じて運動および献立を調節することができる。
【００３８】
一方、本発明の更なる様態によって、保存部１５０は撮影部１１０において撮影されたユーザイメージを保存し、制御部１３０は運動状態関連のユーザ命令に従って、保存部１５０に保存されたユーザイメージと、撮影部１１０において現在撮影されたユーザイメージとを比較し、身体部位別のカロリー消費度合いを測定する。その後、制御部１３０は、測定されたカロリー消費度合いに基づいて身体部位別の運動状態情報をディスプレイするようにディスプレイ部１４０を制御することができる。なお、制御部１３０は、測定されたカロリー消費度合いに基づいて保存部１５０に予め保存された身体部位別の身体管理プログラムを更新することができる。
【００３９】
具体的に、ユーザのユーザイメージが保存部１５０に保存された状態で、ユーザ命令に従って、撮影部１１０はユーザの身体に対するユーザイメージを撮影される。その後、ユーザインターフェース部１２０を介して運動状態関連のユーザ命令が入力されると、制御部１３０は保存部１５０に保存された複数のユーザイメージのうち、現在撮影部１１０を介して撮影されたユーザイメージに関連するユーザイメージを獲得する。一実施形態によって、制御部１３０は、撮影部１１０で現在撮影されたユーザイメージから顔イメージを検出し、その検出された顔イメージとマッチするユーザイメージを保存部１５０から獲得することができる。更に別の実施形態により、制御部１３０はユーザイメージ選択に関連するユーザ命令が受信されると、保存部１５０からユーザ命令に対応するユーザイメージを獲得することができる。
【００４０】
このような実施形態によって、保存部１５０に保存されたユーザイメージのうち、現在撮影されたユーザイメージに関連するユーザイメージが獲得されると、制御部１３０は獲得したユーザイメージと現在撮影されたユーザイメージとを比較する。その後、制御部１３０は、獲得したユーザイメージの身体部位を変更したユーザイメージに関連する身体管理プログラムを保存部１５０から獲得する。よって、制御部１３０は、獲得した身体管理プログラムを参照し、身体部位別のカロリー消費度合いを測定する。具体的に、制御部１３０は、サイズの変更されたユーザイメージを基準に保存部１５０に保存されたユーザイメージと現在撮影されたユーザイメージとを比較し、運動目標値であるカロリー消費量の変化度合いを測定する。
【００４１】
その後、制御部１３０は、測定されたカロリー消費量の変化度合いに応じて、身体部位別の運動状態が正常に行われているか否かを判断し、その判断の結果に応じて、保存部１５０に保存された身体管理プログラムを更新する。一方、ディスプレイ部１４０は、制御部１３０から判断された運動状態情報を画面上にディスプレイすることにより、ユーザは自分の変更した身体部位に対する運動状態が正常に行われているか否かを容易に確認することができる。
【００４２】
例えば、保存部１５０には、上体部位のサイズ変更に対する運動目標値が５００Ｋｃａｌに設定された保存されてよい。この場合、制御部１３０は、サイズが変更された上体部位を基準に現在撮影されたユーザイメージの上体部位における運動目標値を再算出する。その後、制御部１３０は、再算出された運動目標値に保存部１５０に保存された上体部位に対する運動目標値を更新し、その更新された運動目標値に応じて、身体管理プログラムを再設定することができる。
【００４３】
これまで、本発明に係るディスプレイ装置においてユーザイメージを用いてユーザの身体を管理する動作について詳細に説明する。以下では、本発明に係るディスプレイ装置でユーザの身体を管理する身体管理方法について詳細に説明する。
【００４４】
図６は、本発明の一実施形態に係るディスプレイ装置においてユーザイメージを用いて身体を管理する方法を示すフローチャートである。
図６に示すように、ディスプレイ装置はディスプレイ装置の内部に備えられたカメラを用いてユーザに対するユーザイメージを撮影する（Ｓ６１０）。その後、ディスプレイ装置は、撮影されたユーザイメージを画面上にディスプレイする（Ｓ６２０）。ユーザイメージが画面上にディスプレイされた状態で、ユーザから身体部位別のサイズ変更に対するユーザ命令が受信されると、ディスプレイ装置はユーザ命令に対応するユーザイメージの少なくとも一部を変更してディスプレイする（Ｓ６３０）。
【００４５】
具体的に、ディスプレイ装置は、ユーザモーションまたはディスプレイ装置と同期化した遠隔制御装置から受信された制御信号から身体部位別のサイズ変更に対するユーザ命令を受信することができる。ユーザモーションで身体部位別のサイズ変更に対するユーザ命令を受信する場合、ディスプレイ装置はユーザの指の動きからユーザモーションを検知し、検知されたユーザモーションから身体部位別のサイズ変更に対するユーザ命令を受信することができる。
【００４６】
具体的に、図２において説明したように、ユーザはユーザイメージが画面上にディスプレイされた状態で、自分の指を用いて現在の画面にディスプレイされた実写イメージの身体部位のうち、上体部位に対するサイズを変更することができる。例えば、現在画面にディスプレイされている上体部位に対応する時点から内側へのユーザの指の動きが検知されると、ディスプレイ装置はユーザの指が内側へ移動した分だけ上体部位のサイズを変更する。よって、ディスプレイ装置は、点線から実線で表示された程度の分だけサイズが変更された上体部位を含むユーザイメージを画面上にディスプレイすることができる。
【００４７】
このとき、ディスプレイ装置は、図３に示すように、身体部位の変更されたユーザイメージおよび身体部位の変更されていない最初のユーザイメージのうち、少なくともいずれか一方をディスプレイしてよい。具体的に、ユーザからユーザイメージ比較関連のユーザ命令が入力されると、ディスプレイ装置は身体部位の変更されたユーザイメージと最初に撮影されたユーザイメージとが、一つの画面上にディスプレイされるように、両ユーザイメージのサイズを変更し、その変更された両ユーザイメージを画面上にディスプレイする。
【００４８】
よって、ユーザはオリジナルユーザイメージと身体部位の変更されたユーザイメージを一目で比較することができ、変更されたユーザイメージに対する更なる変更の有無を容易に決定することができる。
【００４９】
このように、身体部位別のサイズ変更に対するユーザ命令に従って、ユーザイメージの身体部位を変更してディスプレイするディスプレイ装置は、変更されて表示されたユーザイメージに対応する身体管理情報を設定し、その設定された身体管理情報をディスプレイする（Ｓ６４０、Ｓ６５０）。ここで、身体管理情報を変更された身体部位に対する運動目標値と身体管理プログラムとを含む。なお、運動目標値は変更された身体部位の変更度合いに対応するカロリー消費量であってよく、身体管理プログラムは身体部位別の運動コース情報、運動時間情報、運動時間に対応するカロリー消費情報のうち、少なくともいずれか一つを含んでよい。このような運動目標値および身体管理プログラムを含む身体管理情報を設定する方法は、図７を参照して詳細に説明する。
【００５０】
図７は、本発明の一実施形態に係るディスプレイ装置において変更された身体部位に対応して身体管理情報を設定する方法を示すフローチャートである。
図７に示すように、ディスプレイ装置は身体部位別のサイズ変更に対するユーザ命令が受信されると、画面上にディスプレイされるユーザイメージの身体部位を変更すると同時に、変更された身体部位に対応する運動目標値をリアルタイムで算出してディスプレイする（Ｓ７１０、Ｓ７２０）。実施形態によって、図２において説明したように、ディスプレイ装置はユーザの指の動きからユーザモーションが検知されると、検知されたユーザモーションから上体部位のサイズ変更に対するユーザ命令を受信することができる。このようなユーザ命令が受信されると、ディスプレイ装置は受信されたユーザ命令に従って、上体部位のサイズを変更し、その上体部位のサイズが変更される情報に対応して運動目標値をリアルタイムで算出する。例えば、上体部位のサイズが変更された程度に対応する運動目標値が５００Ｋｃａｌである場合、ディスプレイ装置は“Ｇｏａｌ  Ｃａｌｏｒｉｅ  ５００Ｋｃａｌ”という運動目標値を画面上にディスプレイする。
【００５１】
一方、ディスプレイ装置は、運動目標値が画面上にディスプレイされている状態で、上体部位のサイズ変更に対する更に別のユーザ命令が受信されると、その受信された更に別のユーザ命令に対応するサイズに上体部位のサイズを再変更し、その変更された上体部位のサイズに対応する運動目標値を再設定することができる。
【００５２】
一方、ユーザから画面上にディスプレイされた運動目標値が選択されると、ディスプレイ装置は選択された運動目標値とその運動目標値に対応するユーザイメージを保存する（Ｓ７３０）。このように、身体部位別の運動目標値が保存されると、ディスプレイ装置は、図４において説明したように、予め保存された身体部位別の運動目標値に応じて身体部位別の運動管理プログラムを設定して保存する（Ｓ７４０、Ｓ７５０）。
【００５３】
例えば、二の腕やウエスト、太もも部位に対する運動目標値が保存されてよい。この場合、ディスプレイ装置は、二の腕やウエスト、太もも部位に対する運動目標値を用いて身体管理プログラムを設定する。ここで、身体管理プログラムは、運動種目や運動時間および運動時間に対応するカロリー消費情報が含まれてよい。よって、ディスプレイ装置は、図４に示すように、身体管理プログラムに含まれる運動種目を二の腕運動、ウエスト運動、太もも運動種目を設定することができる。なお、ディスプレイ装置は、設定された二の腕運動、ウエスト運動、太もも運動の各々に対応する運動時間をそれぞれ１５ｍｉｎ、３０ｍｉｎ、１５ｍｉｎに設定することができ、設定された各々の運動時間に対応するカロリー消費情報を１５０Ｃａｌ、２５０Ｃａｌ、１５０Ｃａｌに設定することができる。このように、身体部位別の身体管理プログラムが設定されると、ディスプレイ装置は設定された身体管理プログラムを画面上にディスプレイする。
【００５４】
このとき、ディスプレイ装置は、身体管理プログラムとともに一側面に身体部位別にサイズが変更されたユーザイメージと、身体部位別のサイズ変更に対応して設定された全運動目標値をディスプレイすることができる。なお、ディスプレイ装置は、画面上にディスプレイされるユーザイメージの身体部位のうち、サイズが変更された二の腕やウエスト、太もも部位に識別アイコンを各々表示することにより、ユーザは変更された身体部位をより容易に確認することができる。
【００５５】
一方、ディスプレイ装置は、予め設定されたイベントに応じて、身体部位別の身体管理プログラムを運動スケジュールテーブルに登録して保存することができる（Ｓ６６０）。ここで、予め設定されたイベントは、ユーザから設定された制御命令或いは自主的に設定されたアルゴリズムによるイベントであってよい。図５を参照しながら説明したように、例えば、二の腕やウエスト、太ももに対する身体管理プログラムが設定されると、ディスプレイ装置は予め設定されたイベントに応じて、二の腕やウエスト、太ももに対する身体管理プログラムを運動スケジュールテーブルの１月のスケジュール表に登録してよい。
【００５６】
すなわち、二の腕に対する身体管理プログラムは１月のスケジュール表上に表示される１〜３１日のうち、１、５、９、１３、１７、２１、２５、２９日に登録されてよく、ウエストに対する身体管理プログラムは２、６、１０、１４、１８、２２、２６、３０日に登録されてよい。なお、太ももに対する身体管理プログラムは３、６、１１、１５、１９、２３、２７、３１日に登録されてよい。よって、ディスプレイ装置は、運動スケジュールテーブルを通じて日付別に登録された身体管理プログラムを提供することができる。例えば、今日が１月５日であるとすると、ディスプレイ装置は運動スケジュールテーブルの１月のスケジュール表上に表示された日付のうち、５日にハイライトを表示し、一側面に５日に登録された二の腕に対する身体管理プログラムを表示する。
【００５７】
このように、ディスプレイ装置は、一側面を通じて当該日付に対応する身体部位に対する運動種目や運動時間および運動時間に対応するカロリー消費情報と、献立情報のような付加情報を含む身体管理プログラムを表示する。よって、ユーザは画面上に表示された身体管理プログラムに応じて運動および献立を調節することができる。
【００５８】
一方、本発明の更なる態様により、ディスプレイ装置はカメラを通じて撮影されたユーザイメージを保存し、運動状態関連のユーザ命令に従って、予め保存されたユーザイメージと、現在撮影されたユーザイメージとを比較し、身体部位別のカロリー消費度合いを測定する。その後、ディスプレイ装置は、測定されたカロリー消費度合いに基づいて身体部位別の運動状態情報をディスプレイし、測定されたカロリー消費度合いに応じて予め保存された身体管理プログラムを更新することができる（Ｓ６７０）。
【００５９】
具体的に、ユーザのユーザイメージが予め保存された状態で、ディスプレイ装置はユーザ命令に従って、ユーザの身体に対するユーザイメージを撮影される。その後、ユーザから運動状態関連のユーザ命令が入力されると、ディスプレイ装置は予め保存された複数のユーザイメージのうち、現在撮影されたユーザイメージに関連するユーザイメージを獲得する。一実施形態によって、ディスプレイ装置は、現在撮影されたユーザイメージから顔イメージを検出し、検出された顔イメージとマッチするユーザイメージを予め保存された複数のユーザイメージから獲得することができる。更に別の実施形態により、ディスプレイ装置はユーザから受信されたユーザイメージ選択に関連するユーザ命令が受信されると、予め保存された複数のユーザイメージからユーザ命令に対応するユーザイメージを獲得することができる。
【００６０】
このような実施形態によって、予め保存された複数のユーザイメージのうち、現在撮影されたユーザイメージに関連するユーザイメージが獲得されると、ディスプレイ装置は獲得したユーザイメージと現在撮影されたユーザイメージとを比較する。その後、ディスプレイ装置は、獲得したユーザイメージの身体部位を変更したユーザイメージに関連する身体管理プログラムを獲得する。よって、ディスプレイ装置は、獲得した身体管理プログラムを参照し、身体部位別のカロリー消費度合いを測定することができる。具体的に、ディスプレイ装置は、サイズの変更されたユーザイメージを基準に獲得したユーザイメージと現在撮影されたユーザイメージとを比較し、運動目標値であるカロリー消費量の変化度合いを測定する。
【００６１】
その後、ディスプレイ装置は、測定されたカロリー消費量の変化度合いに応じて、身体部位別の運動状態が正常に行われているか否かを判断し、その判断の結果に応じて、予め保存された身体管理プログラムを更新する。なお、ディスプレイ装置は、運動状態が正常に行われているか否かに対して判断された運動状態情報を画面上にディスプレイすることにより、ユーザは自分が変更した身体部位に対する運動状態が正常に行われているか否かを容易に確認することができる。
【００６２】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００６３】
１１０  撮影部
１２０  ユーザインターフェース部
１３０  制御部
１４０  ディスプレイ部
１５０  保存部
【図１】
2013163024.tif 000003
【図２】
2013163024.tif 000004
【図３】
2013163024.tif 000005
【図４】
2013163024.tif 000006
【図５】
2013163024.tif 000007
【図６】
2013163024.tif 000008
【図７】
2013163024.tif 000009